(57)【要約】      （修正有）【課題】スライドポールに着脱自在で簡単な構成で場所を問わず、軽量でハンディな果樹栽培棚の押し上げ装置を提供する。【解決手段】固定パイプとスライドパイプからなるスライドポールに着脱自在に取り付けられるもので、固定パイプの上端に冠設されたスライドパイプの落下を防止する環状体と、環状体に載置され、ギヤを内蔵するギヤボックス１と、ギヤボックスの上下方向に貫通した穴２と、ギヤボックスに形設され、固定パイプに遊嵌する馬蹄形の支持リング５と、穴に上下移動に保持され、ギヤと歯合するラック４を有する昇降桿３と、昇降桿の上方に設けられ、上下の所定角度に規制され、スライドパイプに遊嵌した自由支持リング６と、ラックに歯合するピニオンと、ハンドル８の操作角度に応動してピニオンの歯に係合する送りレバーと、ピニオンの逆回転を阻止するストッパーを備える。【選択図】図１
0003206376.tif 000002
【実用新案登録請求の範囲】
【請求項１】
固定パイプとスライドパイプからなるスライドポールに着脱自在に取り付けられるもので、前記固定パイプの上端に冠設されたスライドパイプの落下を防止する環状体と、この環状体に載置され、ギヤを内蔵するギヤボックスと、このギヤボックスの上下方向に貫通した穴と、ギヤボックスに形設され、前記スライドパイプに遊嵌する馬蹄形の支持リングと、前記穴に上下移動に保持され、前記ギヤと歯合するラックを有する昇降桿と、この昇降桿の上方に設けられ、上下の所定角度に規制され、前記スライドパイプに遊嵌した自由支持リングと、前記ラックに歯合するピニオンと、ハンドルの操作角度に応動して前記ピニオンの歯に係合する送りレバーと、同じくハンドルの最上位置に回転したとき前記ピニオンの逆回転を阻止するストッパーを備えた果樹栽培棚の押上げ装置。
【請求項２】
前記ハンドルを最上方角度に回転した場合、ハンドルの上方回転に応動して前記ストッパーの係合をピニオンとの係合を解除する前記実用新案登録請求の範囲第１項記載の果樹栽培棚の押上げ装置。
【請求項３】
前記昇降桿の上端に上下角度自由に設けた自由支持リングは、固定パイプに固定した支持リングに対して９０度あるいは略９０度ずらして設けたものである前記実用新案登録請求の範囲第１項記載の果樹栽培棚の押上げ装置。
【考案の詳細な説明】
【技術分野】
【０００１】  本考案は、果樹栽培棚の押上げ装置に関し、特に垂れ下がった果樹栽培の主枝や棚を元の位置に押し上げることができるハンディな果樹栽培棚の押し上げ装置に関するものである。【０００２】  さらに詳しくは、固定パイプにスライドパイプを挿入するスライドポールに着脱自在に取り付けることができ、ラックとピニオン機構とこれ作動するハンドルを用いて前記棚を押上げる押し上げ装置に関するものである。
【背景技術】
【０００３】  棚を使用して栽培する梨園やぶどう園等では、収穫時になると果実の重み、あるいは冬期に雪の重みで主枝や棚が垂れ下がってしまう。従って収穫時には、収穫作業の効率を高めるために主枝や棚を元の位置に押し上げなければならない。
雪の重みに耐えることができない場合は、枝が折たり、ハウスが潰れてしまうこともある。【０００４】  前記棚を元の位置に押上げる装置としてジャッキを用いる方法が知られている。
従来は、ジャッキの上端にパイプや木材等の押し上げ桿を介在させるものであるが、ジャッキを台車に乗せるもので、使用できる場所には限りがある。【０００５】  前記に着目し本考案者は先に実用新案登録第３１５１７９６号公報を提案した。
【先行技術文献】
【特許文献】
【０００６】
【特許文献１】実用新案登録第３１５１７９６号公報
【考案の概要】
【考案が解決しようとする課題】
【０００７】  前記公報に記載された考案は、本件出願人が先に提案した考案であり、本考案はその改良を志向してなされたものである。
すなわち、栽培棚による果樹園では、重みで下がった主枝や棚を押し上げて元の位置に戻さないと前述のように果実の摘み取りや農薬散布等の作業に支障をきたすものである。
草刈作業等の場合は、農機具で大切な主枝を傷めたり頭をぶつけたり首がかかったりする危険がある為、必然的な作業となっている。
従来、棚を持ち上げるには、前記押し上げ桿を用いて主枝を持ち上げた後に主枝に結んだ吊り線のたわみを直し、再度、数人で吊り線を棚に固定する手間の掛かるものであった。
また、前記公報記載の考案は、台車の上にジャッキを載置し、主枝や棚に当設した押上桿をジャッキで押上げるようにしたので、重量が重く、台車を使用するものであるため移動場所に制限があり、また、持ち運ぶことは困難なものである。【０００８】  本考案は前述の課題に着目し、スライドポールに着脱自在で簡単な構成で、場所を問わず軽量のハンディな押し上げ装置を提供することを目的としてなされたものである。
【課題を解決するための手段】
【０００９】  前記目的を達成するために、本考案は、固定パイプとスライドパイプからなるスライドポールに着脱自在に取り付けられるもので、前記固定パイプの上端に冠設されたスライドパイプの落下を防止する環状体と、この環状体に載置され、ギヤを内蔵するギヤボックスと、このギヤボックスの上下方向に貫通した穴と、ギヤボックスに形設され、前記スライドパイプに遊嵌する馬蹄形の支持リングと、前記穴に上下移動に保持され、前記ギヤと歯合するラックを有する昇降桿と、この昇降桿の上方に設けられ、上下の所定角度に規制され、前記スライドパイプに遊嵌した自由支持リングと、前記ラックに歯合するピニオンと、ハンドルの操作角度に応動して前記ピニオンの歯に係合する送りレバーと、同じくハンドルの最上位置に回転したとき前記ピニオンの逆回転を阻止するストッパーを備えた果樹栽培棚の押上げ装置としたものである。【００１０】  更に詳しくは、前記ハンドルを最上方角度に回転した場合、ハンドルの上方向に応動して前記ストッパーの係合を解除するものである。
加えて、昇降桿の上端に上下角度だけ許容して設けた自由支持リングは、前記環状体に載置した支持リングに対して９０度あるいは略９０度回転方向にずらして設けたものである
【考案の効果】
【００１１】  本考案は、伸縮ポールを用い、固定パイプとスライドパイプの間に跨っても設ける押し上げ装置であって、スライドポールに着脱自在で簡単な構成で、台車を使用しないので場所を問わず軽量のハンディタイプの押し上げ装置を提供することである。【００１２】  さらに押し上げ装置は前記伸縮ポールの固定パイプとスライドパイプに簡単に着脱できるようにし、取り扱いが容易になる効果がある。
【図面の簡単な説明】
【００１３】
【図１】本考案の一実施例を示すものでハンドルを少し水平にした斜面図。
【図２】同じく本考案の一実施例を示す正面図。
【図３】同側面図。
【図４】同じくギヤボックスの内部機構を示す図。
【図５】本考案の一実施例を示すハンドルを最上角度のした正面図。
【図６】同じくギヤボックスの内部機構を示す図。
【考案を実施するための形態】
【００１４】  本考案は、伸縮ポールの固定パイプとスライドパイプ間に押し上げ装置を取り付け、ギヤ収納ボックス内に収納されたラックに歯合しているピニオンをハンドルに連動する送りレバーで時計方向に回転して昇降桿を上方に移動させ、この昇降桿に連結されたスライドパイプを押し上げることを基本とするものである。また、前記の結合はスライドパイプに自由支持リングを遊合して取り付け、自由支持リングを傾けて楔作用を発生させ、両者を結合することを基本とする。
【００１５】  以下、図に基づいて一実施例の構成を説明する。
図１は、果樹栽培棚の押上げ装置でポールリフター全体の斜面図、図２は、ポールリフターをスライドポールに取り付けた状態を示す正面図である。
これらの図において、Ｐ１は固定パイプ、Ｐ２は固定パイプＰ１に上下にスライド自在に挿入されたスライドパイプ、Ｐ３はこのスライドパイプが下方に落下するのを防止する環状体である。
この環状体Ｐ３の内部にはストップ機能、例えばコイルバネが内装されており、スライドパイプの上方への移動は許容するが、落下は防止する機能を有している。
【００１６】  １は鋼板あるいは鋳鉄で成形されたギヤボックスで、上下に貫通したガイド穴２を有している。このガイド穴２には、コの字の型鋼から形成された昇降桿３をスライド自在に挿入している。この昇降桿３には所望の長さ寸法だけ切削されたラック４が設けられている。また、前記ギヤボックス１には水平方法に前記環状体Ｐ３に載置する支持リング５が形成されている。
支持リング５の図示上左の一部は切り欠いて馬蹄形とし、切り欠いた部分からスライドポールＰ２を挿入できるようになっている。切り欠き部の間隙寸法はスライドポールＰ２の径よりも、僅かに大に設定している。
【００１７】  昇降桿３の上端には、前記支持リング５に対して切り欠き部を９０度（図示上手前側に）回転させて自由支持リング６を取り付ける。自由支持リングは、ピン７により所定の角度だけ上下傾動させるようにしている。これより自由支持リング６はスライドパイプＰ２の表面に楔作用で食いつき、スライドパイプＰ２を確実に押し上げるようになる。
８はハンドルで、このハンドル８の先端は二股に分けて支持体８１，８２とし、支持体８１，８２間に前記ギヤボックス１を挟持するように構成している。そして、このハンドル８を所望角度操作することにより昇降桿を押し上げるものである。
なお図３は、前記ポールリフターの側面図である。
次に、前記の動作を遂行する機構について説明する。
【００１８】  図４において、前記ラック４に噛合し前記ピン９に回転自在に支持されたピニオン１０が設けられている。
また、ハンドル８には前記ピニオン１０の近傍に、その先端が前記ピニオン１０の歯の部分に係合する突起１１Ｂを有する送りレバー１１を設けている。このレバー１１はピン１２に巻装されたトーションバネ１１Ａによって、その先端をピニオン１０側に押し付けるように付勢されている。
【００１９】  １３はピン１４に回転自在に支持されたストッパーで、前記ピニオン１０の歯部に係合し、ピニオン１０の反時計方向の回転を阻止する凸部１５を有している。
１６はコイルバネで、前記凸部１５をピニオン側に押圧するように作用する。
【００２０】  本考案は、以上述べたように構成したので以下のようにスライドパイプＰ２を昇降させることができる。
ハンドル８を水平にすると、送りレバー１１の先端がピニオン１０の歯部に係合している状態になる。この状態でハンドル８を下方向に操作し回転すると、図４のように送りレバー１１の先端がピニオン１０を押し、ピニオン１０を時計方向に回転させる。
ピニオン１０が時計方向に回転すると、ピニオン１０にはラック４が歯合している昇降桿３が上昇し、スライドパイプＰ２を上昇させる。上昇範囲はギヤ１０の回転量で決められる。
このとき、昇降桿３の上端に自由支持リングが所定角度規制されてピン７に取り付けられているので傾斜し、支持自由リング６が傾く。そのため、スライドパイプＰ２とは楔効果で結合することになる。
【００２１】  一方、ストッパー１３の凸部１５はバネ１６によってピニオン１０の歯に接し、ピニオン１０の時計方向の回転は許容し、反時計方向の回転は阻止するように作用する。
ピニオン１０が時計方向に回転するとストッパー１３の突起１５は節度が生じ、その音はカチカチと心地と良いものとなる。
ハンドル８を所望の角度だけ回転した後、最初の位置、例えば水平位置か、やや高い角度に戻し、次いで下方に回転操作すれば昇降桿３によってスライドパイプＰ２を所望の高さだけ上げることができる。
【００２２】  スライドパイプＰ２が所望の高さに達した後は、昇降桿３に上方からの負荷でギヤ１０が反時計方向に回転しようとするが、ストッパー１３の突起１５が回転を阻止し、昇降桿３の下降を阻止する。従って、自由支持リング６に結合されているスライドパイプＰ２を所望の高さに保持することができる。
このようにポールリフターは、棚や主枝を元の位置に押し上げることができる。
【００２３】  次に、図５及び図６のように、ハンドル８を最上部の角度に回転すれば、送りレバー１１がピニオン１０の歯から離脱し、送りレバー１０の上端がストッパー１３をバネ１６に抗して押し上げる。
すると、図６のように、ストッパー１３の凸部１５はピニオン１０の歯から離脱し、ピニオン１０はフリーの状態になる。
従って、ピニオン１０と歯合している昇降桿３は落下するが、ラック４の終端でピニオン１０はスライドパイプＰ２の落下はロックされる。
なお、ラック４の歯を切削していない上下の部分は、ピニオン１０の回転を阻止するストッパーの機能を持つので、昇降桿３の落下は停止し、スライドパイプＰ２の落下はロックされる。
【００２４】  スライドポールへの取り付け方法について説明する。
先ず、スライドパイプＰ２に支持リング５を図面上左の開口から被挿し、さらに固定パイプＰ１の上端の環状体Ｐ３に載置する。
次に、自由支持リング６を、昇降桿３を傾けた状態で前記と同様に図面上手前の開港に、前記スライドパイプＰ２に被挿する。
前記支持リング５及び自由支持リング６は、互いの開口が９０度ずれているので、スライドパイプＰ２に簡単に着脱できる。
なお、この逆の手順にすればスライドパイプＰ２から簡単に取り外すことができる。
【００２５】  前述のように本考案は、簡単な構成で、前述のように動作するので、簡単でハンディな押上げ装置を提供することができる。
特に、台車やジャッキを用いることなく、スライドポールのみで棚を押し上げることができるので、非常に軽いものとなる。
尚、本考案は一実施例に限定されるものではなく、実用新案登録請求の範囲内において種々の変形が考えられ、これらをも含むものであることは論を待たないものである。
【符号の説明】
【００２６】  Ｐ１  固定パイプ
Ｐ２  スライドパイプ
Ｐ３  環状体
１    ギヤボックス
２    穴
３    昇降桿
４    ラック
５    支持リング
６    自由支持リング
７    ピン
８    ハンドル
９    ピン
１０  ピニオン
１１  送りレバー
１１Ａ  トーションバネ
１１Ｂ  突起
１２  ピン
１３  ストッパー
１４  ピン
１５  凸部
１６  バネ
【図１】
0003206376.tif 000003
【図２】
0003206376.tif 000004
【図３】
0003206376.tif 000005
【図４】
0003206376.tif 000006
【図５】
0003206376.tif 000007
【図６】
0003206376.tif 000008